(57)【要約】【課題】筐体の小型化、薄型化を課題とする。【解決手段】前後方向の寸法が上下方向の寸法よりも短く、左右方向の寸法が上下方向の寸法より長い筐体と、前記筐体の左右方向の一方側に寄せて配され、前記筐体の前後方向に伸縮するレンズ鏡筒と、前記筐体の左右方向の他方側の側面と前記レンズ鏡筒との間の空間に配された回路基板と、前記回路基板が配された空間に、前記回路基板と前記筐体の前後方向に並べて配された電池室と、前記回路基板及び前記電池室が配された空間の上部に配された操作部と、前記筐体の左右方向の一方側に寄せて且つ前記レンズ鏡筒より上側に配された閃光発光部と、前記筐体の左右方向の一方側に寄せて、前記筐体の左右方向を長手方向とするように配された第１の閃光発光用コンデンサと、前記筐体の左右方向の一方側に寄せて、前記筐体の上下方向を長手方向とするように配された第２の閃光発光用コンデンサと、を備える撮像装置。【選択図】図１
2010243781.tif 000002
【特許請求の範囲】
【請求項１】
前後方向の寸法が上下方向の寸法よりも短く、左右方向の寸法が上下方向の寸法より長い筐体と、
前記筐体の左右方向の一方側に寄せて配され、前記筐体の前後方向に伸縮するレンズ鏡筒と、
前記筐体の左右方向の他方側の側面と前記レンズ鏡筒との間の空間に配された回路基板と、
前記回路基板が配された空間に、前記回路基板と前記筐体の前後方向に並べて配された電池室と、
前記回路基板及び前記電池室が配された空間の上部に配された操作部と、
前記筐体の左右方向の一方側に寄せて且つ前記レンズ鏡筒より上側に配された閃光発光部と、
前記筐体の左右方向の一方側に寄せて、前記筐体の左右方向を長手方向とするように配された第１の閃光発光用コンデンサと、
前記筐体の左右方向の一方側に寄せて、前記筐体の上下方向を長手方向とするように配された第２の閃光発光用コンデンサと、
を備える撮像装置。
【請求項２】
前記レンズ鏡筒と前記筐体の左右方向の一方側の側面との間の空間に配され、前記レンズ鏡筒を駆動させるレンズ駆動部を備え、
前記閃光発光部は、前記筐体の左右方向を長手方向とするように配され、
前記第１の閃光発光用コンデンサは、前記閃光発光部と前記筐体の背面との間の空間に配され、
前記第２の閃光発光用コンデンサは、前記レンズ鏡筒と前記筐体の左右方向の一方側の側面との間の空間に、前記レンズ駆動部と前記筐体の前後方向に並べて配された請求項１に記載の撮像装置。
【請求項３】
前記第１の閃光発光用コンデンサの端子と前記第２の閃光発光用コンデンサの端子とが、前記筐体における左右方向の一方側且つ上側に寄せて配された請求項１又は請求項２に記載の撮像装置。
【請求項４】
前記第１の閃光発光用コンデンサの端子と、前記第２の閃光発光用コンデンサの端子とを前記回路基板に接続する接続部を備える請求項３に記載の撮像装置。
【請求項５】
前記第１の閃光発光用コンデンサと前記第２の閃光発光用コンデンサとが略同一形状である請求項１から請求項４までの何れか１項に記載の撮像装置。
【発明の詳細な説明】
【技術分野】
【０００１】
本発明は、撮像装置に関する。
【背景技術】
【０００２】
閃光発光用コンデンサを複数に分割して筐体の内部に配することにより、コンデンサの静電容量を確保すると共に、筐体の内部における閃光発光用コンデンサの配置の自由度を広げ、ひいては筐体を薄型化したカメラが知られている（例えば、特許文献１参照）。
【先行技術文献】
【特許文献】
【０００３】
【特許文献１】特開平１０−１６１２１５号公報
【発明の概要】
【発明が解決しようとする課題】
【０００４】
閃光発光部、複数に分割した閃光発光用コンデンサを含む撮像装置の構成要素を筐体の内部に効率的に配置することにより、筐体を小型化、薄型化することを課題とする。
【課題を解決するための手段】
【０００５】
上記課題を解決するために、本発明の第１の態様においては、前後方向の寸法が上下方向の寸法よりも短く、左右方向の寸法が上下方向の寸法より長い筐体と、前記筐体の左右方向の一方側に寄せて配され、前記筐体の前後方向に伸縮するレンズ鏡筒と、前記筐体の左右方向の他方側の側面と前記レンズ鏡筒との間の空間に配された回路基板と、前記回路基板が配された空間に、前記回路基板と前記筐体の前後方向に並べて配された電池室と、前記回路基板及び前記電池室が配された空間の上部に配された操作部と、前記筐体の左右方向の一方側に寄せて且つ前記レンズ鏡筒より上側に配された閃光発光部と、前記筐体の左右方向の一方側に寄せて、前記筐体の左右方向を長手方向とするように配された第１の閃光発光用コンデンサと、前記筐体の左右方向の一方側に寄せて、前記筐体の上下方向を長手方向とするように配された第２の閃光発光用コンデンサと、を備える撮像装置を提供する。
【図面の簡単な説明】
【０００６】
【図１】デジタルカメラ１００の内部構造を示す斜視図である。
【図２】デジタルカメラ１００の上部を示す平面断面図である。
【図３】デジタルカメラ１００の下部を示す平面断面図である。
【図４】デジタルカメラ１００の右側部を示す側断面図である。
【図５】デジタルカメラ１００の左側部を示す側断面図である。
【図６】デジタルカメラ１００を示す正面断面図である。
【図７】フラッシュ発光部１１４等を示す分解斜視図である。
【図８】フラッシュ発光部１１４、コンデンサ１２０、１２２等を示す斜視図である。
【図９】コンデンサ１２０、１２２とフレキシブルプリント配線板１３０とを示す斜視図である。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、本実施形態に係るデジタルカメラ１００の内部構造を示す斜視図である。なお、以下の説明では、被写体側を前側、撮影者側を後側又は背面側、正位置に構えられたデジタルカメラ１００を被写体側から見た場合のデジタルカメラ１００の上下方向及び左右方向をそれぞれ上下方向及び左右方向と称する。
【０００９】
図１に示すように、デジタルカメラ１００は、左右方向の寸法が上下方向の寸法より長く、前後方向の寸法が上下方向の寸法より短い、即ち横長で前後方向に薄型化された筐体１０２を備える。筐体１０２には、沈胴式のレンズ鏡筒１０４が、右方向に寄せて配されている。レンズ鏡筒１０４は、前後方向に伸縮自在に構成されており、図示する沈胴状態で筐体１０２に格納される。即ち、沈胴状態のレンズ鏡筒１０４の前面と筐体１０２の前面とが面一となる。
【００１０】
また、筐体１０２におけるレンズ鏡筒１０４の左側の空間１１６には、メイン回路基板１０６とスイッチ基板１０８とが配されている。メイン回路基板１０６は、筐体１０２の前面左側部分に面して配された矩形状の基板であり、スイッチ基板１０８は、筐体１０２の上面左側部分に面して配された左右方向を長手方向とする矩形状のフレキシブルプリント配線板である。
【００１１】
スイッチ基板１０８の上側、即ち筐体１０２の上面には、レリーズスイッチ、電源スイッチ等の操作ボタンが配されている。スイッチ基板１０８には、上記操作ボタンの操作を検出して検出信号をデジタルカメラ１００の制御部へ出力する回路が形成されている。また、メイン回路基板１０６の上部には、コネクタ１１０が配されており、スイッチ基板１０８の端子部１１２がコネクタ１１０に挿し込まれている。
【００１２】
また、筐体１０２における右側上部には、左右方向を長手方向とするフラッシュ発光部１１４が配されている。フラッシュ発光部１１４は、前方へ閃光を発光して被写体を照明する。また、筐体１０２におけるレンズ鏡筒１０４と筐体１０２の右側面との間には、上下方向を長手方向とする縦長の空間１１８が設けられており、この空間１１８には、フラッシュ発光部１１４用のコンデンサ１２０が配されている。コンデンサ１２０は、上下方向を長手方向とする円柱状に形成されている。
【００１３】
ここで、フラッシュ発光部１１４をレンズ鏡筒１０４の右上側に配したことにより、その分だけ、筐体１０２におけるレンズ鏡筒１０４より左側の空間１１６の空間に余裕が生じている。そこで、筐体１０２の空間１１６の上下方向及び左右方向の寸法を、メイン回路基板１０６の上下方向及び左右方向の寸法に近似させている。即ち、筐体１０２の左側部分における上下方向及び左右方向の寸法を縮小させている。
【００１４】
図２は、デジタルカメラ１００の下部を示す平面断面図である。この図に示すように、筐体１０２におけるレンズ鏡筒１０４と左側面１４０との間の空間１４２には、メイン回路基板１０６と電池室１４４と、外部メモリ装填部１４６とが前後方向に並べて配されている。メイン回路基板１０６は、筐体１０２の前面１２４に面して配されている。また、電池室１４４は、平面断面形状が左右方向を長手方向とする矩形状の空間であり、ＬＣＤモニタ１３６の左側端部及び筐体１０２の背面１２６に面して配されている。この電池室１４４には、平面断面形状が左右方向を長手方向とする矩形状の電池１４８が装填される。
【００１５】
外部メモリ装填部１４６は、平面断面形状が左右方向を長手方向とする矩形状の空間であり、メイン回路基板１０６と電池室１４４との間に配されている。この外部メモリ装填部１４６には、平面断面形状が左右方向を長手方向とする矩形状のカード状の外部メモリ１５０が装填される。
【００１６】
筐体１０２の背面１２６における左側端部には、操作ボタン１５２が配されている。この操作ボタン１５２には、フレキシブルプリント配線板１５４が接続されている。このフレキシブルプリント配線板１５４は、電池室１４４及び外部メモリ装填部１４６と左側面１４０との間を通ってメイン回路基板１０６の左側端部まで延在している。メイン回路基板１０６の左側端部には、コネクタ１５６が配されており、フレキシブルプリント配線板１５４の端子部１５８がコネクタ１５６に挿し込まれている。
【００１７】
レンズ鏡筒１０４には、撮像素子、シャッタ等が配されており、これらには、フレキシブルプリント配線板１６０が接続されている。このフレキシブルプリント配線板１６０は、電池室１４４、外部メモリ装填部１４６及びメイン回路基板１０６とレンズ鏡筒１０４との間を通ってメイン回路基板１０６の右側端部まで延在している。メイン回路基板１０６の右側端部には、コネクタ１６２が配されており、フレキシブルプリント配線板１６０の端子部１６４がコネクタ１６２に挿し込まれている。
【００１８】
ここで、沈胴状態のレンズ鏡筒１０４の前面と筐体１０２の前面１２４とが面一となっている。また、レンズ鏡筒１０４の後方側には、ＬＣＤモニタ１３６が配されている。このため、筐体１０２の前後方向の寸法（すなわち厚み）を最大限小さくするべく、当該寸法を、沈胴状態のレンズ鏡筒１０４の光軸方向の長さとＬＣＤモニタ１３６の厚みとを合計した寸法に近似させている。
【００１９】
このようにして厚みが決められた筐体１０２の右側面１６６とレンズ鏡筒１０４との間に存する縦長の空間１１８には、コンデンサ１２０とズーム駆動部１７０とが前後方向に並べて配されている。コンデンサ１２０は、筐体１０２の前面１２４の右側端部に面して配されている。また、ズーム駆動部１７０は、コンデンサ１２０と筐体１０２の背面１２６の右側端部との間に配されている。ズーム駆動部１７０は、レンズ鏡筒１０４に伸縮動作、即ちズーム駆動をさせる。
【００２０】
図３は、デジタルカメラ１００の上部を示す平面断面図である。この図に示すように、筐体１０２の左側上部には、スイッチ基板１０８が配され、筐体１０２の右側上部には、フラッシュ発光部１１４とフラッシュ発光部１１４用のコンデンサ１２２とが前後方向に並べて配されている。
【００２１】
ここで、フラッシュ発光部１１４を筐体１０２の右側上部に配して、スイッチ基板１０８とメイン回路基板１０６との間からフラッシュ発光部１１４の設置空間を不要としている。これにより、スイッチ基板１０８をメイン回路基板１０６の上端部に近接させることが可能となっている。
【００２２】
フラッシュ発光部１１４の前面は、筐体１０２の前面１２４と面一となるように配されている。また、コンデンサ１２２は、コンデンサ１２０と同一又は略同一の形状をしており、フラッシュ発光部１１４と筐体１０２の背面１２６との間に存する横長の空間１２８に、左右方向が長手方向となるように配されている。即ち、フラッシュ発光部１１４とコンデンサ１２２とは、筐体１０２内の右側上部に存する横長の空間に、互いの長手方向が平行となるように前後方向に並べて配されている。また、コンデンサ１２２の静電容量は、コンデンサ１２０の静電容量と同一又は略同一とされている。
【００２３】
フラッシュ発光部１１４とコンデンサ１２２とはフレキシブルプリント配線板１３０に接続されている。フレキシブルプリント配線板１３０は、コンデンサ１２２とフラッシュ発光部１１４との間を通ってスイッチ基板１０８の右側端部まで延在している。スイッチ基板１０８の上面右側端部には、コネクタ１３２が配されており、フレキシブルプリント配線板１３０の端子部１３４がコネクタ１３２に挿し込まれている。
【００２４】
また、コンデンサ１２２の右側端部には端子１９２が配されている。この端子１９２には、フレキシブルプリント配線板１３０の端子部１８０に半田付け等により電気的且つ機械的に接続されている。即ち、端子１９２はメイン回路基板１０６に接続される。
【００２５】
また、筐体１０２内には、ＬＣＤモニタ１３６が背面１２６に面して配されている。背面１２６には、ＬＣＤモニタ１３６に面して透明カバー１３８が配されており、この透明カバー１３８を通してＬＣＤモニタ１３６に表示された画像を視認できるようになっている。
【００２６】
図４は、デジタルカメラ１００の右側部を示す側断面図である。この図に示すように、  筐体１０２の上面と背面１２６とのコーナ部は、テーパ部となっている。これにより、筐体１０２が薄く見える視覚的効果が得られる。また、筐体１０２内の右下部には、三脚座１７２が配されており、コンデンサ１２０及びズーム駆動部１７０は、三脚座１７２の上に配されている。
【００２７】
ズーム駆動部１７０は、上下に並べて配されたズーム駆動モータ１７４とギアボックス１７６とを備えている。ズーム駆動モータ１７４及びギアボックス１７６は、共に上下方向を長手方向とする円柱状の要素であり、ズーム駆動モータ１７４が三脚座１７２の上に配され、ギアボックス１７６がズーム駆動モータ１７４の上に配されている。ズーム駆動モータ１７４は、上下方向に延びる回転軸を回転させる。ギアボックス１７６内のギア列は、ズーム駆動モータ１７４の回転軸の回転をレンズ鏡筒１０４へ伝達する。レンズ鏡筒１０４のカム機構は、ギアボックス１７６のギア列から入力された回転を光軸方向への直線運動に変換する。これにより、レンズ鏡筒１０４が光軸方向へズーム駆動する。
【００２８】
また、筐体１０２の右側上部には、フラッシュ保持部１７８が配されている。フラッシュ保持部１７８は、コンデンサ１２０の上側且つコンデンサ１２２の前側に配されており、フラッシュ発光部１１４を保持している。また、フラッシュ保持部１７８の背面には、フレキシブルプリント配線板１３０が取り付けられている。また、コンデンサ１２０の上部には端子１８２が配されている。この端子１８２には、フレキシブルプリント配線板１３０の端子部１８４が半田付け等により電気的且つ機械的に接続されている。即ち、端子１８２はメイン回路基板１０６に接続される。
【００２９】
図５は、デジタルカメラ１００の左側部を示す側断面図である。この図に示すように、電池室１４４の上部には、電池接片１８６が配されている。また、電池接片１８６の上側にスイッチ基板１０８が配されている。スイッチ基板１０８は、メイン回路基板１０６の上部まで延在している。上述したように、メイン回路基板１０６の上部には、コネクタ１１０が配されており、スイッチ基板１０８の端子部１１２が挿し込まれている。
【００３０】
図６は、デジタルカメラ１００を示す正面断面図である。この図に示すように、レンズ鏡筒１０４は、径が異なる複数の円筒体１９３が同心円状に配された構成であり、外側から２番目に配された円筒体１９３の外周面には、歯型部１９４が周方向に沿って形成されている。円筒体１９３は、光軸周りに回転可能に配されている。
【００３１】
歯型部１９４には、ギア１９６が噛み合っている。ギア１９６は、ギアボックス１７６のギアと噛み合っている。このため、ズーム駆動モータ１７４が駆動されると、ズーム駆動モータ１７４の駆動力が、ギアボックス１７６、ギア１９６により円筒体１９３に伝達され、円筒体１９３が光軸周りに回転される。
【００３２】
各円筒体１９３の内周面にはカム溝が形成され、各円筒体１９３の外周面には、外周側の円筒体１９３のカム溝と係合するカムフォロアが突設されている。カム溝とカムフォロアとは、円筒体１９３の回転力がその内周側の円筒体１９３を光軸方向への移動力に変換したり、円筒体１９３の光軸方向への移動力を、円筒体１９３を光軸周りに回転させる力に変換したりする。これにより、複数の円筒体１９３の中で光軸方向への移動力を受ける円筒体１９３が、光軸方向へ移動する。
【００３３】
この図に示すように、コンデンサ１２０の端子１８２とコンデンサ１２２の端子１９２とは、共に筐体１０２の右側上部に配されており、端子１８２と端子１９２とは、フラッシュ発光部１１４までの距離、及び、スイッチ基板１０８のコネクタ１３２までの距離が近似している。このため、コンデンサ１２２とフラッシュ発光部１１４とを接続する信号線の長さと、コンデンサ１２０とフラッシュ発光部１１４とを接続する信号線の長さとが近似している。また、コンデンサ１２２とメイン回路基板１０６とを接続する信号線の長さと、コンデンサ１２２とメイン回路基板１０６とを接続する信号線の長さとが近似している。
【００３４】
図７は、フラッシュ発光部１１４、コンデンサ１２０、１２２等を示す分解斜視図であり、図８は、これらの組立てを示す斜視図である。これらの図に示すように、コンデンサ１２０、１２２は、コンデンサ保持部２０４により保持される。コンデンサ保持部２０４は、左右方向に延在する基部２０６と、基部２０６の右側端部から下方へ延びる半円筒状の垂下部２０８とを備えている。基部２０６には、コンデンサ１２２が固定され、垂下部２０８には、コンデンサ１２０の上部が固定される。
【００３５】
また、フラッシュ発光部１１４とコンデンサ１２０、１２２とを接続するフレキシブルプリント配線板１３０は、フラッシュ保持部１７８とコンデンサ保持部２０４との間に配される。コンデンサ保持部２０４の基部２０６には、一対のボス２０９がフラッシュ保持部１７８へ向けて突設されている。フレキシブルプリント配線板１３０には、ボス２０９が挿通される一対の穴２１０が形成され、フラッシュ保持部１７８には、ボス２０９が嵌合する一対の嵌合穴２１１が形成されている。
【００３６】
図９は、コンデンサ１２０、１２２とフレキシブルプリント配線板１３０とを示す斜視図である。この図に示すように、フレキシブルプリント配線板１３０の端子部１８４は、コンデンサ１２０の上端面と重なり合うように折り曲げられ、フレキシブルプリント配線板１３０の端子部１８０は、コンデンサ１２２の右側端面と重なり合うように折り曲げられている。また、フレキシブルプリント配線板１３０の端子部１３４は、スイッチ基板１０８の上面と重なり合うように折り曲げられている。
【００３７】
ここで、本実施形態に係るデジタルカメラ１００では、メイン回路基板１０６、電池室１４４及び外部メモリ装填部１４６を、筐体１０２のレンズ鏡筒１０４より左側の空間１１６に、筐体１０２の厚み方向に並べて配した。また、スイッチ基板１０８及びレリーズスイッチ等の操作部を、空間１１６の上部に配した。一方、フラッシュ発光部１１４及びフラッシュ発光用のコンデンサ１２０、１２２をレンズ鏡筒１０４の光軸より右側に寄せて配した。これにより、空間１１６からフラッシュ発光部１１４及びコンデンサ１２０、１２２の設置空間を削減できるので、筐体１０２のレンズ鏡筒１０４より左側の部分の上下左右の寸法としては、メイン回路基板１０６の上下左右の寸法とスイッチ基板１０８の厚み寸法とを合計した寸法を確保できればよい。よって、筐体１０２のレンズ鏡筒１０４より左側の部分の上下左右の寸法の増大を抑制できる。また、筐体１０２のレンズ鏡筒１０４より左側の部分の厚さ寸法としては、メイン回路基板１０６、電池室１４４、外部メモリ装填部１４６及びＬＣＤモニタ１３６のそれぞれの厚さ寸法を合計した厚さ寸法を確保できればよい。よって、筐体１０２のレンズ鏡筒１０４より左側の部分の厚さ寸法の増大を抑制できる。
【００３８】
また、フラッシュ発光用のコンデンサをコンデンサ１２０、１２２の二本に分割すると共に、コンデンサ１２０を縦向きに、コンデンサ１２２を横向きにして、筐体１０２におけるレンズ鏡筒１０４、上面及び右側面１６６で囲まれた空間に配した。縦向きのコンデンサ１２０は、筐体１０２のレンズ鏡筒１０４より右側の空間１１８に、上下方向を長手方向とするズーム駆動部１７０の前側にズーム駆動部１７０と平行に配した。また、横向きのコンデンサ１２２は、筐体１０２におけるレンズ鏡筒１０４より右上側の空間に、左右方向を長手方向とするフラッシュ発光部１１４の後側にフラッシュ発光部１１４と平行に配した。
【００３９】
これにより、筐体１０２におけるレンズ鏡筒１０４より右側の部分の厚さ寸法としては、コンデンサ１２０の直径とズーム駆動部１７０の直径とＬＣＤモニタ１３６の厚さとを合計した寸法を確保できればよい。また、筐体１０２におけるレンズ鏡筒１０４より上側の部分の厚さ寸法としては、フラッシュ発光部１１４の前後方向の幅とコンデンサ１２２の直径とＬＣＤモニタ１３６の厚さとを合計した寸法を確保できればよい。よって、筐体１０２のレンズ鏡筒１０４より右側及び上側の厚さ寸法の増大を抑制できる。
【００４０】
以上、本実施形態に係るデジタルカメラ１００では、２本に分割されたコンデンサ１２０、１２２、フラッシュ発光部１１４、ズーム駆動部１７０を筐体１０２内に効率よく配置したことにより、筐体１０２の上下左右の寸法、及び筐体１０２の厚さ寸法の増大を抑制できる。従って、コンデンサの静電容量を確保すると共に、筐体１０２の小型化、薄型化を達成することができる。
【００４１】
また、本実施形態に係るデジタルカメラ１００では、コンデンサ１２０の端子１８２とコンデンサ１２２の端子１９２とが、共に筐体１０２の右側上部に配されており、端子１８２と端子１９２とは、フラッシュ発光部１１４までの距離、及び、スイッチ基板１０８のコネクタ１３２までの距離が近似している。このため、コンデンサ１２２とフラッシュ発光部１１４とを接続する信号線の長さと、コンデンサ１２０とフラッシュ発光部１１４とを接続する信号線の長さとが近似する。また、コンデンサ１２２とメイン回路基板１０６とを接続する信号線の長さと、コンデンサ１２２とメイン回路基板１０６とを接続する信号線の長さとが近似する。また、コンデンサ１２０、１２２の静電容量を同一にしている。従って、２系統のフラッシュ回路のインピーダンスのバラツキを抑制でき、フラッシュ発光部１１４の発光ムラを抑制できる。
【００４２】
また、本実施形態に係るデジタルカメラ１００では、コンデンサ１２０、１２２の形状を同一にしている。これにより、部品を共通化でき、部品コストを低減できる。さらに、本実施形態に係るデジタルカメラ１００では、コンデンサ１２０をズーム駆動部１７０の配置した場合に右端前部のコーナ部を曲線形状にすることができる。これにより、右端前部がぼやけて見えるという視覚的効果から、正面から見たデジタルカメラ１００のサイズが小さく見えるという効果を得ることができる。
【００４３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００４４】
例えば、本実施形態では、コンデンサ１２０をズーム駆動部１７０の被写体側に配設したが、ズーム駆動部１７０をコンデンサ１２０の被写体側に配設してもよい。また、ズーム駆動部１７０の前後方向の厚みが、本実施形態よりも薄く構成される場合には、コンデンサ１２０をより後方に配置して、コンデンサ１２０の径方向の厚みとコンデンサ１２２の径方向の厚みとより重なるようにしてもよい。
【符号の説明】
【００４５】
１００  デジタルカメラ、１０２  筐体、１０４  レンズ鏡筒、１０６  メイン回路基板、１０８  スイッチ基板、１１０  コネクタ、１１４  フラッシュ発光部、１２０、１２２  コンデンサ、１３０  フレキシブルプリント配線板、１３２  コネクタ、１３４  端子部、１４０  左側面、１４４  電池室、１５２  操作ボタン、１６６  右側面、１７０  ズーム駆動部、１７４  ズーム駆動モータ、１７６  ギアボックス、１８０、１８４  端子部、１８２、１９２  端子
【図１】
2010243781.tif 000003
【図２】
2010243781.tif 000004
【図３】
2010243781.tif 000005
【図４】
2010243781.tif 000006
【図５】
2010243781.tif 000007
【図６】
2010243781.tif 000008
【図７】
2010243781.tif 000009
【図８】
2010243781.tif 000010
【図９】
2010243781.tif 000011